(57)【要約】【課題】本発明は幅方向のピッチが６〜８ｍｍ間隔の場合でもで容易に半田ゴテをこの間隔に挿入でき、半田付け時にハウジング１２に触れることがない電気コネクタ１０を提供する。【解決手段】本目的はメモリカード６０が挿抜される電気コネクタ１０であって、メモリカード６０と接触する接触部２８を有する複数のコンタクト１４と、コンタクト１４が保持・配列されるとともにメモリカード６０が挿入される嵌合口１８を有するハウジング１２と、ハウジング１２の長手方向両側にメモリカード６０を保持若しくは抜去する回動可能なロック部材１６とを備える電気コネクタ１０において、電気コネクタ１０を幅方向に６〜８ｍｍ間隔で並行に配置する際に、ハウジング１２には、幅方向両側の上面側に半田ゴテの逃げ部２０を設けるとともに幅方向両側の下面側に凹部２２を設けることにより達成できる。【選択図】  図３
2007018747.tif 000002
【特許請求の範囲】
【請求項１】
メモリカードが挿抜される電気コネクタであって、前記メモリカードと接触する接触部を有する複数のコンタクトと、該コンタクトが保持・配列されるとともに前記メモリカードが挿入される嵌合口を有するハウジングと、該ハウジングの長手方向両側に前記メモリカードを保持若しくは抜去する回動可能なロック部材とを備える電気コネクタにおいて、
前記電気コネクタを幅方向に６．０〜８．０ｍｍ間隔で並行に配置する際に、前記ハウジングには、幅方向両側の上面側に半田ゴテの逃げ部を設けるとともに幅方向両側の下面側に凹部を設けることを特徴とする電気コネクタ。
【請求項２】
前記逃げ部として、外側方向に傾斜する傾斜部を設けることを特徴とする請求項１記載の電気コネクタ。
【請求項３】
前記傾斜部及び前記凹部の長手方向の大きさは、前記コンタクトの長手方向ピッチと同等か超える大きさにすることを特徴とする請求項１又は２記載の電気コネクタ。
【請求項４】
前記ロック部材の幅方向に、０．１〜０．５ｍｍ突出する略台形状の凸部を設けることを特徴とする請求項１又は２、３記載の電気コネクタ。
【発明の詳細な説明】
【技術分野】
【０００１】
本発明は、サーバやコンピューター等の電子,電気機器に使用される電気コネクタに関するもので、特に幅方向に狭ピッチで配列された場合の電気コネクタの半田付け方法に関するものである。
【背景技術】
【０００２】
マザーボードとドウターボードとの信号（情報）のやり取りについては、複数の電気コネクタをマザーボードに半田付け等により固定し、前記電気コネクタにドウターボードを差込み行なっている。即ち、前記電気コネクタは少なくともドウターボードを差込むための嵌合口を有するハウジングと、該嵌合口内に突出し前記ハウジングに保持・配列されるコンタクトとを備えている。
本出願人は、このような電気コネクタとして、特許文献１（特開２００２−９４２６６）を既に提案している。
【特許文献１】特開２００２−９４２６６の要約によると、基板の重量に関係なく、振動や衝撃でもイジェクトロックが外れることがなく、安定した接続が得られる電気コネクタを提供をすることを目的とし、所要数のコンタクトと、このコンタクトを保持・固定すると共に長手方向両側にガイド部を有し、かつ、基板が挿入される嵌合口を有するハウジングと、ガイド部に回動可能に装着されたイジェクトロックとからなる電気コネクタにおいて、基板が嵌合口に挿入された際に、イジェクタロックの係合部が基板の係止部から外れないようにガイド部にロック保護部材を装着する構造の電気コネクタとロック保護部材が摺動する際に双方のガイド突起でロック保護部材をガイドできるような構造の電気コネクタが開示されている。ちなみに、特許請求の範囲の請求項１には、所要数のコンタクトと、このコンタクトを保持・固定すると共に長手方向両側にガイド部を有し、かつ、基板が挿入される嵌合口を有するハウジングと、前記ガイド部に回動可能に装着されたイジェクトロックとからなる電気コネクタにおいて、基板が嵌合口に挿入された際に、イジェクタロックの係合部が基板の係止部から外れないように前記ガイド部にロック保護部材を装着したことを特徴とする電気コネクタ。請求項２には、前記ロック保護部材は電気コネクタの厚み方向に摺動可能に装着されたことを特徴とする請求項１記載の電気コネクタ。請求項３には、前記イジェクタロックの幅方向両側に係止溝を設け、前記ロック保護部材の幅方向内側に係合突起を設け、基板が挿入されイジェクタロックで係合された際にロック保護部材の係合突起がイジェクトロックの係止溝に係合することを特徴とする請求項１記載の電気コネクタ。請求項４には、前記ロック保護部材の左右方向両側には、ガイド突起Ａとガイド突起Ｂを設け、ロック保護部材が摺動する際に前記双方のガイド突起でロック保護部材をガイドすることを特徴とする請求項２記載の電気コネクタ。請求項５には、前記ロック保護部材には前記ガイド突起Ｂの基板挿入方向側に突起を設け、該突起によりイジェクトロックの回動方向に対する保持を強化したことを特徴とする請求項４記載の電気コネクタ等が開示されている。
【発明の開示】
【発明が解決しようとする課題】
【０００３】
近年、やり取りする情報量も多くなり、多くの電気コネクタが使用され、情報機器の小型化が進み、基板の小型化も進む中、基板の占有面積にも限りがある。そのため、電気コネクタを配置するピッチの狭小化も進み、幅方向は６．０〜８．０ｍｍ間隔で電気コネクタを配置するようになった。前記電気コネクタを基板等のマザーボードに半田付けする際にはリフローによって行なっている。マザーボードに半田付けした後に、半田付け不良や接続不良などによって、半田付け部の手直しが必要になるが、半田ゴテを６．０〜８．０ｍｍの間隔に挿入する場合、半田ゴテを前記ハウジングに触れることなく、６．０〜８．０ｍｍ間隔に挿入し難く、半田ゴテが前記ハウジングに触れてしまうと、半田ゴテの温度が高いために前記ハウジングが溶けてしまうといった課題があった。前記ハウジングが溶けてしまうと、実装後のコネクタを交換することにも繋がってしまう。
【０００４】
本発明は、このような従来の問題点に鑑みてなされたもので、幅方向のピッチが６．０〜８．０ｍｍ間隔の場合でもで容易に半田ゴテをこの間隔に挿入でき、半田付け時に前記ハウジングに触れることがない電気コネクタを提供せんとするものである。
【課題を解決するための手段】
【０００５】
上記目的は、メモリカード６０が挿抜される電気コネクタ１０であって、前記メモリカード６０と接触する接触部２８を有する複数のコンタクト１４と、該コンタクト１４が保持・配列されるとともに前記メモリカード６０が挿入される嵌合口１８を有するハウジング１２と、該ハウジング１２の長手方向両側に前記メモリカード６０を保持若しくは抜去する回動可能なロック部材１６とを備える電気コネクタ１０において、前記電気コネクタ１０を幅方向に６．０〜８．０ｍｍ間隔で並行に配置する際に、前記ハウジング１２には、幅方向両側の上面側に半田ゴテの逃げ部２０を設けるとともに幅方向両側の下面側に凹部２２を設けることにより達成できる。
【０００６】
前記逃げ部２０として、外側方向に傾斜する傾斜部を設ける。
また、前記傾斜部及び前記凹部２２の長手方向の大きさは、前記コンタクトの長手方向ピッチと同等か超える大きさにする。
さらに、前記ロック部材の１６幅方向に、０．１〜０．５ｍｍ突出する略台形状の凸部３２を設ける。
【発明の効果】
【０００７】
以上の説明から明らかなように、本発明のカードコネクタ１０によると、次のような優れた顕著な効果が得られる。
（１）メモリカード６０が挿抜される電気コネクタ１０であって、前記メモリカード６０と接触する接触部２８を有する複数のコンタクト１４と、該コンタクト１４が保持・配列されるとともに前記メモリカード６０が挿入される嵌合口１８を有するハウジング１２と、該ハウジング１２の長手方向両側に前記メモリカー６０を保持若しくは抜去する回動可能なロック部材１６とを備える電気コネクタ１０において、前記電気コネクタ１０を幅方向に６．０〜８．０ｍｍ間隔で並行に配置する際に、前記ハウジング１２には、幅方向両側の上面側に半田ゴテの逃げ部２０を設けるとともに幅方向両側の下面側に凹部２２を設けているので、容易に半田ゴテを６．０〜８．０ｍｍ間隔に前記ハウジング１２に触れることなく挿入することができ、容易に半田付け部の手直しをすることができる。
（２）前記逃げ部２０として、外側方向に傾斜する傾斜部を設けているので、前記ハウジング１２に触れることなく、容易に半田ゴテを狭い間隔に挿入することができる。
（３）前記傾斜部及び前記凹部２２の長手方向の大きさは、前記コンタクト１４の長手方向ピッチと同等か超える大きさにしているので、前記ハウジング１２に触れることなく、容易に半田付け部修正（手直し）を行なうことができる。
（４）前記ロック部材１６の幅方向に、０．１〜０．５ｍｍ突出する略台形状の凸部３２を設けているので、簡単にメモリカード６０との着脱を行なうことができる。
（５）前記ハウジング１２には幅方向両側の下面側に凹部２２を設けているので、前記ハウジング１２の肉厚が薄くなるため、誘電率が低くなり、特性インピーダンスを狙いの値にし難く、また、電気コネクタの軽量化にもなる。
【発明を実施するための最良の形態】
【０００８】
図１から図４に基づいて、本発明の一実施例について説明する。図１（Ａ）は嵌合側よりみた本発明の電気コネクタの斜視図であり、（Ｂ）は結線側よりみた本発明の電気コネクタの斜視図である。図２（Ａ）はメモリカードが挿入された状態の本発明の電気コネクタの斜視図であり、（Ｂ）はメモリカードが挿入される前の状態の本発明の電気コネクタとメモリカードの斜視図である。図３（Ａ）は本発明の電気コネクタが幅方向に並行に複数配置された状態の斜視図であり、（Ｂ）は（Ａ）の状態のあるコンタクト部分で断面した断面図である。図４は一方のロック部材を取り外した状態の本発明の電気コネクタの斜視図である。図５（Ａ）はコネクタ中央部付近の拡大斜視図であり、（Ｂ）はコネクタ中央部付近の拡大平面図でである。
本発明の電気コネクタ１０は、主に複数のコンタクト１４とハウジング１２とロック部材１６とを備えている。
【０００９】
構成部品を説明する前に、メモリカード６０（ドウターボード）について説明する。前記メモリカード６０はパソコンやサーバ、プリンタ等に使用されるものであって、前記メモリカード６０には主にコンタクト１４の接触部２８と接触する接触部と該接触部から回路へ繋がるパターンと該パターン上に搭載されたＩＣやＣＰＵと接続する接続部とを備えている。本発明の電気コネクタ１０に使用されるメモリカード６０としては、ＤＩＭＭモリーカードやＳＯ−ＤＩＭＭメモリーカードや専用メモリーカード等のメモリカードが挙げられる。
本実施例のカードコネクタ１０には、ＤＩＭＭメモリーカードを使用している。
【００１０】
まず、本発明のポイントであるハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ハウジング１２には、前記メモリカード６０が挿入される嵌合口１８と前記ロック部材が挿入・装着される挿入口２４が設けられている。前記嵌合口１８の大きさは所要数の前記メモリカード６０が挿入でき、前記メモリカード６０が挿入された際に対向する２つの前記コンタクト１４に接触できるように適宜設計されている。前記挿入口２４の大きさは前記ロック部材１６が挿入でき、かつ、前記ロック部材１６が回動可能に適宜設計されている。
【００１１】
前記ハウジング１２には、前記コンタクト１４を保持・配列するための挿入孔２６が設けられている。前記挿入孔２６の大きさは、前記コンタクト１４を保持でき、前記コンタクト１４の接触部２８が前記嵌合口１８内に突出し、一定の接触力で前記メモリカード６０に接触できるように適宜設計する。
前記ハウジング１２の挿入口２４には、前記ロック部材１６が回動可能なように、前記ロック部材１６の軸３４と係合する軸受け部が設けられている。
【００１２】
前記ハウジング１２には、図３のように電気コネクタ１０が並行に６．０〜８．０ｍｍの間隔で配置された場合に、前記嵌合口１８側に半田ゴテを逃げるための逃げ部２０が設けられている。該逃げ部２０は、半田付け不良や接続不良の際に、電気コネクタ１０の半田付け部の手直しを行なう場合に、前記ハウジング１２に半田ゴテが触れないようにするためのものであって、このような役割を満足するものであれば、Ｃ面取りやＲ形状や傾斜部（テーパ）などであってもよい。６．０〜８．０ｍｍといった狭い間隔で電気コネクタ１０が配置されているため、逃げ部２０は大きい方がよく、役割や前記ハウジング１２の強度などを考慮すると、好ましくは傾斜部にすることが望ましい。そのため、本実施例では外側に傾斜する傾斜部とした。
【００１３】
前記ハウジング１２には、幅方向両側で結線側（嵌合口１８の反対側）に、半田付け不良や接続不良の際に、電気コネクタ１０の半田付け部の手直しを行なう場合に、半田ゴテを逃げるための凹部２２が設けられている。該凹部２２は、半田ゴテを逃げるためのものであるため、各コンタクト１４毎に設けてもよいが、手直す場合の半田付け性や軽量化を考慮し、本実施例では長手方向のコンタクトピッチとほぼ同等に全体に設けた。前記凹部２２を設けることで、前記ハウジング１２の肉厚を薄くなるため、誘電率が低くなり、特性インピーダンスを狙いの値にし易くなる。
【００１４】
前記ハウジング１２には、前記電気コネクタ１０を基板７０に半田付けする際に、基板７０への位置決めと方向性を持たせるために、長手方向両側に大きさの相違する位置決めボスを設けている。
【００１５】
次に、ロック部材１６について説明する。このロック部材１６もハウジング１２同様は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ロック部材１６は前記ハウジング１２の長手方向両側かどちらか一方側に配置されており、前記ロック部材１６は前記メモリカード６０を抜去するためのものである。前記ロック部材１６は少なくとも操作部３８と前記メモリカード６０を押し上げるための押上部３６と軸３４とを備えている。
【００１６】
前記ロック部材の幅方向には、０．１〜０．５ｍｍ突出する略台形状の凸部３２が設けられている。該凸３２によって、前記メモリカード６０を前記電気コネクタ１０に挿入した際に、安定した保持力を得ることができる。０．１ｍｍ以下では保持力が低く、０．５ｍｍ以上では保持力が高すぎ前記ロック部材１６を手で回動出来なくなる。本実施例のように、前記凸部３２の形状を、略台形状にすることで、前記ロック部材１６を保持し易くなる。前記凸部３２の形状は、保持力や回動のし易さなどを考慮して適宜すればよい。
【００１７】
前記押上部３６の形状としては、前記メモリカード６０を挟み込み、かつ、前記メモリカード６０の底面を接触するようになっている。前記押上部３６の形状は前記メモリカード６０を押上げられればよく、前記ロック部材１６の強度等を考慮して適宜設計する。
前記操作部３８は前記ロック部材１６を手で回動操作できれば良いように適宜設計している。
【００１８】
最後に、複数のコンタクト１４について説明する。前記コンタクト１４は金属製であり、公知技術のプレス加工によって製作されている。前記コンタクト１４の材質としては、バネ性や導電性や寸法安定性などが要求されるので、黄銅やベリリウム銅やリン青銅等を挙げることができる。
前記コンタクト１４は、少なくとも前記メモリカード６０に接触する接触部２８と前記ハウジング１２に固定される固定部と基板に接続する接続部３０とを備えている。前記接触部２８の形状としては、前記メモリカード６０と接触し易いように湾曲形状にしている。前記コンタクト１４の前記接続部３０は本実施例では基板の回路設計を考慮してＳＭＴ（表面実装）タイプにしたが、ディップタイプであってもよい。前記コンタクト１４は、前記接触部２８同士が対向するように並行に配置され、対向する２つの前記コンタクト１４、１４とで、前記メモリカード６０を挟み込むようにしている。前記コンタクト１４は前記ハウジング１２に圧入や引っ掛け（ランス）や溶着などによって固定されている。
【産業上の利用可能性】
【００１９】
本発明の活用例としては、サーバやコンピューター等の電子・電気機器に使用される電気コネクタに活用され、特に幅方向に狭ピッチで配列された場合の電気コネクタの半田付け方法に関するものである。
【図面の簡単な説明】
【００２０】
【図１】（Ａ）  嵌合側よりみた本発明の電気コネクタの斜視図である。（Ｂ）  結線側よりみた本発明の電気コネクタの斜視図である。
【図２】（Ａ）  メモリカードが挿入された状態の本発明の電気コネクタの斜視図である。（Ｂ）  メモリカードが挿入される前の状態の本発明の電気コネクタとメモリカードの斜視図である。
【図３】（Ａ）  本発明の電気コネクタが幅方向に並行に複数配置された状態の斜視図である。（Ｂ）  （Ａ）の状態のあるコンタクト部分で断面した断面図である。
【図４】一方のロック部材を取り外した状態の本発明の電気コネクタの斜視図である。
【図５】（Ａ）  コネクタ中央部付近の拡大斜視図である。（Ｂ）  コネクタ中央部付近の拡大平面図でである。
【符号の説明】
【００２１】
１０                              電気コネクタ
１２                              ハウジング
１４                              コンタクト
１６                              ロック部材
１８                              嵌合口
２０                              逃げ部
２２                              凹部
２４                              挿入口
２６                              挿入孔
２８                              接触部
３０                              接続部
３２                              凸部
３４                              軸
３６                              押上部
３８                              操作部
６０                              メモリカード
７０                              基板
【図１】
2007018747.tif 000003
【図２】
2007018747.tif 000004
【図３】
2007018747.tif 000005
【図４】
2007018747.tif 000006
【図５】
2007018747.tif 000007